(57)【要約】【課題】フィルムが巻回されたフィルムロールの異なる軸心長さであっても、一つの収納ケースで使用することができるロールホルダを供する。【解決手段】一面が開口し、この開口からフィルムロール３０を納出自在に収納する細長い箱状の収納ケース１２と、この収納ケース１２の長手方向に延在する開口一縁に形成されたヒンジ１８により基端が回動自在に枢支され、収納ケース１２の開口を開閉自在に覆うと共に、この収納ケース１２内のフィルムロール３０から引き出されたフィルム３２を切断するための切断刃２４を先端に有した蓋部材２０とを備える。収納ケース１２内に構成され、収納ケース１２内に収納可能な最も長尺のフィルムロール３０よりも短いフィルムロール３０の長手方向への移動を規制する規制部（高リブ１４Ｈ）を備える。【選択図】図１
2013220831.tif 000002
【特許請求の範囲】
【請求項１】
フィルムが円筒状に巻回されたフィルムロールを収納するロールホルダにおいて、
一面が開口し、該開口から前記フィルムロールを納出自在に収納する細長い箱状の収納ケースと、
該収納ケースの長手方向に延在する開口一縁に形成されたヒンジにより基端が回動自在に枢支され、前記収納ケースの開口を開閉自在に覆うと共に、該収納ケース内の前記フィルムロールから引き出された前記フィルムを切断するための切断刃を先端に有した蓋部材と、
前記収納ケース内に構成され、前記収納ケース内に収納可能な最も長尺の前記フィルムロールよりも短いフィルムロールの長手方向への移動を規制する規制部とを備えたことを特徴とするロールホルダ。
【請求項２】
前記収納ケース内の底部に構成された複数のリブを備え、
該リブは、前記短いフィルムロールを保持するための高さが低い低リブと、該低リブの両側に位置して前記低リブより高い高リブとから成り、該高リブが前記規制部を構成することを特徴とする請求項１に記載のロールホルダ。
【請求項３】
前記収納ケース、蓋部材及びヒンジは合成樹脂にて構成されており、
前記ヒンジは前記収納ケースの開口一縁の両側において、前記収納ケース及び蓋部材と一体に成形されていることを特徴とする請求項１又は請求項２に記載のロールホルダ。
【請求項４】
前記ヒンジ間に位置する前記蓋部材の基端は湾曲形状を呈していることを特徴とする請求項３に記載のロールホルダ。
【請求項５】
フィルムが円筒状に巻回されたフィルムロールを収納する合成樹脂製のロールホルダにおいて、
一面が開口し、該開口から前記フィルムロールを納出自在に収納する細長い箱状の収納ケースと、
該収納ケースの長手方向に延在する開口一縁の両側に形成されたヒンジにより基端が回動自在に枢支され、前記収納ケースの開口を開閉自在に覆うと共に、該収納ケース内の前記フィルムロールから引き出された前記フィルムを切断するための切断刃を先端に有した蓋部材とを備え、
前記ヒンジは前記収納ケース及び蓋部材と一体に成形されており、前記ヒンジ間に位置する前記蓋部材の基端は湾曲形状を呈していることを特徴とするロールホルダ。
【請求項６】
前記蓋部材の長手方向両端に位置し、該蓋部材が前記収納ケースの開口を閉じたときに当該収納ケース内に収まる蓋側壁部と、
前記収納ケースの長手方向の両端に位置するケース側壁部の内側に形成され、前記フィルムロールの長手方向への移動を制限する位置決め部とを備え、
該位置決め部は、前記蓋部材が前記収納ケースの開口を閉じたときに、前記蓋側壁部と干渉しない位置に形成されていることを特徴とする請求項１乃至請求項５のうちの何れかに記載のロールホルダ。
【請求項７】
前記収納ケースは、前記ヒンジが形成された開口一縁を構成するケース後壁部と、該ケース後壁部に対向して開口他縁を構成するケース前壁部と、長手方向の両端に位置して前記ケース後壁部とケース前壁部とを結ぶケース側壁部とを備え、
前記ケース前壁部は、前記ケース後壁部よりも高さが低く構成されており、前記蓋部材が前記収納ケースの開口を閉じた状態で、前記切断刃の内側において当該切断刃先端よりも高い位置まで起立する逆巻防止部を有し、該逆巻防止部の外面は、前記フィルムが吸着可能な鏡面とされていることを特徴とする請求項１乃至請求項６のうちの何れかに記載のロールホルダ。
【発明の詳細な説明】
【技術分野】
【０００１】
本発明は、食品や食品が入った容器などの包装を行うビニール薄膜やアルミ薄膜などのフィルムが円筒状に巻回されたフィルムロールを収納するロールホルダに関するものである。
【背景技術】
【０００２】
従来よりビニール薄膜やアルミ薄膜などの長尺のラップフィルム（フィルム）が巻回されてなるラップフィルムロール（フィルムロール）が直方体の紙製ケース内に収納されたケース入りフィルムが一般的に広く使用されている。該収納ケース入りフィルムは、収納ケースの内部に収納されているロール状のフィルムを収納ケースに形成された開口から必要な長さだけ引き出し、当該フィルムを収納ケースを覆蓋する蓋部材の縁に設けられた切断刃で切断して使用するようになっている。
【０００３】
一方、このようなフィルムは、一般家庭においては、調理台周辺で使用されることから、使用者が濡れた手で使用する場合もある。また、美容院や美容室などでは、客の髪にパーマを施す際、パーマ液を頭髪に塗布した後に、頭部をフィルムで包み、この状態でパーマ液を頭髪に浸透させていた。
【０００４】
係る美容師は、一方の手で収納ケースを保持して蓋部材を押さえ、他方の手でフィルムを切断刃にて切断しながら頭髪にパーマ液が塗布された頭部をラッピングする場合が多い。この場合も、パーマ液や水で濡れた手で使用することが多い。このように、一般家庭や美容師などが濡れた手で紙製の収納ケースを保持して蓋部材を押さえる作業を繰り返し行うと、縁に切断刃が設けられた蓋部材の腰が弱くなり、フィルムを切断する際、蓋部材（切断刃）が撓んで、当該フィルムが切断できなくなってしまうという不都合があった。
【０００５】
そこで、蓋部材が水に濡れた場合でも、紙製の収納ケースのように蓋部材の腰が弱くならずにフィルムの切断が好適に行える合成樹脂製のラップケース（収納ケース）が考案されている。この合成樹脂製の収納ケースは、上方に開口部を有する収納部本体と、この開口部を開閉可能に被覆する蓋部とにより構成されている。この蓋部は、収納部本体外部に設けられたヒンジ部を介して回動可能に取り付けられている。
【０００６】
該合成樹脂製の収納ケースは、現在一般に広く販売されている、紙製の収納ケースとは異なり、収納部本体及び蓋部は何れも合成樹脂製であることから、使用者が水に濡れた手で使用した場合であっても、紙製の収納ケースのように水を吸収して破損する、という事態を防止できるようになっている。
【０００７】
これにより、一般家庭において、台所等の水回りにおいても不安なく長期間に渡って使用することができ、特に、美容院や美容室において、客の髪にパーマを施し、客の頭部をラッピングした状態でパーマ液の頭髪への浸透を待つが、美容師がパーマ液や水で濡れた手で収納ケースに触れた場合であっても、紙製の収納ケースとは異なり、収納ケースが破損したり、収納ケースが破損することによって、刃部も収納部本体から脱落してしまい、使用できなくなるという不都合を確実に防止するようにしていた。
【０００８】
また、幅方向断面略Ｌ字状に形成された蓋部はヒンジ部に回動可能に固定され、このヒンジ部は、収納部本体の長さ方向両端部に固定された一対のヒンジ受け部材と、一対のヒンジ受け部材の端部に接合されたヒンジ部材とにより構成されている。このように構成された合成樹脂製の収納ケースは、現在、広く販売されている紙製の収納ケースとは異なり、蓋部は確実に収納部に固定されて、長期間の頻繁な使用に耐えられるようになっていた（特許文献１参照）。
【特許文献１】実用新案登録第３１６６９０５号公報
【発明の開示】
【発明が解決しようとする課題】
【０００９】
従来のフィルムは、用途に応じて異なる幅のものがあり、フィルムが巻回されたフィルムロールの軸心長さもそれに伴って複数存在する。しかしながら、紙製の収納ケースや合成樹脂製の収納ケースにおいても、軸心長さの異なるフィルムロールを収納する際、その軸心の長さに合った収納ケースを手配しなければならない。このため、異なる軸心長さに併せてそれぞれ収納ケースを製造しなければならない問題があった。
【００１０】
本発明は、係る従来技術の課題を解決するために成されたものであり、フィルムが巻回されたフィルムロールが異なる軸心長さであっても、一つの収納ケースで使用することができるロールホルダを供することを目的とする。
【課題を解決するための手段】
【００１１】
即ち、本発明のロールホルダは、フィルムが円筒状に巻回されたフィルムロールを収納するものであって、一面が開口し、該開口からフィルムロールを納出自在に収納する細長い箱状の収納ケースと、該収納ケースの長手方向に延在する開口一縁に形成されたヒンジにより基端が回動自在に枢支され、収納ケースの開口を開閉自在に覆うと共に、該収納ケース内のフィルムロールから引き出されたフィルムを切断するための切断刃を先端に有した蓋部材と、収納ケース内に構成され、収納ケース内に収納可能な最も長尺のフィルムロールよりも短いフィルムロールの長手方向への移動を規制する規制部とを備えたことを特徴とする。
【００１２】
また、請求項２の発明のロールホルダは、上記において、収納ケース内の底部に構成された複数のリブを備え、該リブは、短いフィルムロールを保持するための高さが低い低リブと、該低リブの両側に位置して低リブより高い高リブとから成り、該高リブが規制部を構成することを特徴とする。
【００１３】
また、請求項３の発明のロールホルダは、請求項１又は請求項２において、収納ケース、蓋部材及びヒンジは合成樹脂にて構成されており、ヒンジは収納ケースの開口一縁の両側において、収納ケース及び蓋部材と一体に成形されていることを特徴とする。
【００１４】
また、請求項４の発明のロールホルダは、請求項３において、ヒンジ間に位置する蓋部材の基端は湾曲形状を呈していることを特徴とする。
【００１５】
また、請求項５の発明のロールホルダは、フィルムが円筒状に巻回されたフィルムロールを収納する合成樹脂製のものであって、一面が開口し、該開口からフィルムロールを納出自在に収納する細長い箱状の収納ケースと、該収納ケースの長手方向に延在する開口一縁の両側に形成されたヒンジにより基端が回動自在に枢支され、収納ケースの開口を開閉自在に覆うと共に、該収納ケース内のフィルムロールから引き出されたフィルムを切断するための切断刃を先端に有した蓋部材とを備え、ヒンジは収納ケース及び蓋部材と一体に成形されており、ヒンジ間に位置する蓋部材の基端は湾曲形状を呈していることを特徴とする。
【００１６】
また、請求項６の発明のロールホルダは、請求項１乃至請求項５のうちの何れかに加えて、蓋部材の長手方向両端に位置し、該蓋部材が収納ケースの開口を閉じたときに当該収納ケース内に収まる蓋側壁部と、収納ケースの長手方向の両端に位置するケース側壁部の内側に形成され、フィルムロールの長手方向への移動を制限する位置決め部とを備え、該位置決め部は、蓋部材が収納ケースの開口を閉じたときに、蓋側壁部と干渉しない位置に形成されていることを特徴とする。
【００１７】
また、請求項７の発明のロールホルダは、請求項１乃至請求項６のうちの何れかに加えて、収納ケースは、ヒンジが形成された開口一縁を構成するケース後壁部と、該ケース後壁部に対向して開口他縁を構成するケース前壁部と、長手方向の両端に位置してケース後壁部とケース前壁部とを結ぶケース側壁部とを備え、ケース前壁部は、ケース後壁部よりも高さが低く構成されており、蓋部材が収納ケースの開口を閉じた状態で、切断刃の内側において当該切断刃先端よりも高い位置まで起立する逆巻防止部を有し、該逆巻防止部の外面は、フィルムが吸着可能な鏡面とされていることを特徴とする。
【発明の効果】
【００１８】
本発明によれば、フィルムが円筒状に巻回されたフィルムロールを収納するロールホルダにおいて、一面が開口し、該開口からフィルムロールを納出自在に収納する細長い箱状の収納ケースと、該収納ケースの長手方向に延在する開口一縁に形成されたヒンジにより基端が回動自在に枢支され、収納ケースの開口を開閉自在に覆うと共に、該収納ケース内のフィルムロールから引き出されたフィルムを切断するための切断刃を先端に有した蓋部材と、収納ケース内に構成され、収納ケース内に収納可能な最も長尺のフィルムロールよりも短いフィルムロールの長手方向への移動を規制する規制部とを備えたので、最も長尺のフィルムロールは収納ケースの長手方向一端と他端間で規制することができ、それよりも短いフィルムロールは規制部にて規制することができる。これにより、最も長尺のフィルムロールと、それよりも短いフィルムロールを一つの収納ケース内に、各フィルムロールを長手方向へ殆どガタなく収納することが可能となる。従って、長さの異なるフィルムロールをそれぞれ一つの収納ケースにて使用することができ、ロールホルダの汎用性を大幅に向上させることができるようになるものである。
【００１９】
また、請求項２の発明によれば、上記において、収納ケース内の底部に構成された複数のリブを備え、該リブは、短いフィルムロールを保持するための高さが低い低リブと、該低リブの両側に位置して低リブより高い高リブとから成り、該高リブが規制部を構成するので、最も長尺のフィルムロールよりも短いフィルムロール周囲を低リブに当接させた状態で、当該短いフィルムロールの長手方向両側を規制部にて規制し、長手方向のガタをなくすことができる。また、最も長尺のフィルムロール周囲を高リブに当接させた状態で、当該長いフィルムロールの長手方向両側をロールホルダの長手方向一側と他側で規制し、長手方向のガタをなくすことができる。これにより、最も長尺のフィルムロール周囲は高リブに支持され、それよりも短いフィルムロール周囲は低リブによって支持されてロールホルダから長尺のフィルムロールとそれよりも短いフィルムロールを引き出す際の摩擦力を大幅に軽減させることができると共に、フィルムの引き出しが重くて当該フィルムが切れてしまうなどと云った不都合を確実に防止することができる。また、最も長尺のフィルムロールと、それよりも短いフィルムロールを一つの収納ケース内に入れたとき、各フィルムロールを長手方向へのガタが殆どない状態とすることが可能となる。従って、長さの異なるフィルムロールをそれぞれ一つの収納ケースに収納し使用することができるので、ロールホルダの汎用性を大幅に向上させることができるようになるものである。
【００２０】
また、請求項３の発明によれば、請求項１又は請求項２において、収納ケース、蓋部材及びヒンジは合成樹脂にて構成されており、ヒンジは収納ケースの開口一縁の両側において、収納ケース及び蓋部材と一体に成形されているので、収納ケースと蓋部材とヒンジとを備えたロールホルダを一回で成形することが可能となる。従って、ロールホルダの製造時間を大幅に短縮することができ、当該ロールホルダのコストが高騰してしまう不都合を未然に防止することができるようになる。
【００２１】
また、請求項４の発明によれば、請求項３において、ヒンジ間に位置する蓋部材の基端は湾曲形状を呈しているので、例えば、フィルム使用時にロールホルダの長手方向中央部を手で保持すれば、ヒンジに触れることなくロールホルダを手で保持することができる。これにより、収納ケースを手で保持した際、ヒンジの突部が手に当たることがないので、当該ヒンジの突部で手が痛いなどといった不都合を未然に防止することが可能となる。従って、フィルムの使用に好適な収納ケースを備えたロールホルダを提供することができる。
【００２２】
また、請求項５の発明によれば、フィルムが円筒状に巻回されたフィルムロールを収納する合成樹脂製のロールホルダにおいて、一面が開口し、該開口からフィルムロールを納出自在に収納する細長い箱状の収納ケースと、該収納ケースの長手方向に延在する開口一縁の両側に形成されたヒンジにより基端が回動自在に枢支され、収納ケースの開口を開閉自在に覆うと共に、該収納ケース内のフィルムロールから引き出されたフィルムを切断するための切断刃を先端に有した蓋部材とを備え、ヒンジは収納ケース及び蓋部材と一体に成形されており、ヒンジ間に位置する蓋部材の基端は湾曲形状を呈しているので、例えば、フィルム使用時に収納ケースの長手方向中央部となるヒンジ間を手で保持することができる。これにより、収納ケースを手で保持した際、ヒンジの突部が手に当たることがないので、当該ヒンジの突部で手が痛いなどといった不都合を未然に防止することが可能となる。また、ヒンジと収納ケースと蓋部材とが一体のロールホルダは、一回で成形することが可能となる。従って、ロールホルダの製造時間を大幅に短縮することができ、当該ロールホルダのコストが高騰してしまうなどと云った不都合を未然に防止することができる。従って、フィルムの使用に好適な収納ケースを備えたロールホルダを提供することができる。
【００２３】
特に、最も長尺のフィルムロールは、収納ケースの長手方向一端と他端間で規制することができ、それよりも短いフィルムロールは規制部にて規制することができる。これにより、最も長尺のフィルムロールと、それよりも短いフィルムロールを一つの収納ケース内に、各フィルムロールを長手方向へ殆どガタなく収納することが可能となる。従って、長さの異なるフィルムロールをそれぞれ一つの収納ケースにて使用することができ、ロールホルダの汎用性を大幅に向上させることができるようになるものである。
【００２４】
また、請求項６の発明によれば、請求項１乃至請求項５のうちの何れかに加えて、蓋部材の長手方向両端に位置し、該蓋部材が収納ケースの開口を閉じたときに当該収納ケース内に収まる蓋側壁部と、収納ケースの長手方向の両端に位置するケース側壁部の内側に形成され、フィルムロールの長手方向への移動を制限する位置決め部とを備え、該位置決め部は、蓋部材が収納ケースの開口を閉じたときに、蓋側壁部と干渉しない位置に形成されているので、フィルムロールが収納ケースの長手方向の両端に位置するケース側壁部に当接することにより、蓋側壁部がフィルムロールに当接して蓋部材が閉じられないなどといった不都合を防止することができる。これにより、フィルムロールを収納ケース内に収納するだけで、蓋側壁部がフィルムロールの端部に当たることなく蓋部材を閉じることが可能となる。従って、収納ケースの長手方向の両端に位置するケース側壁部の内側に形成された位置決め部によって、収納ケース内へのフィルムロールの収納操作や、蓋部材を閉じる操作が極めて容易となり、ロールホルダの使い勝手を大幅に向上させることができる。また、位置決め部をフィルムロールの長手方向端面の一部に接触するように形成することにより、当該フィルムロールを引き出す際の摩擦力を大幅に軽減させることができると共に、フィルムの引き出しが重くて当該フィルムが切れてしまうなどと云った不都合を確実に防止することができるようになるものである。
【００２５】
また、請求項７の発明によれば、請求項１乃至請求項６のうちの何れかに加えて、収納ケースは、ヒンジが形成された開口一縁を構成するケース後壁部と、該ケース後壁部に対向して開口他縁を構成するケース前壁部と、長手方向の両端に位置してケース後壁部とケース前壁部とを結ぶケース側壁部とを備え、ケース前壁部は、ケース後壁部よりも高さが低く構成されており、蓋部材が収納ケースの開口を閉じた状態で、切断刃の内側において当該切断刃先端よりも高い位置まで起立する逆巻防止部を有し、該逆巻防止部の外面は、フィルムが吸着可能な鏡面とされているので、蓋部材を開けて収納ケース内からフィルムロールを引き出し、当該蓋部材を閉じて切断する際、当該フィルムを逆巻防止部に貼着させることができる。これにより、逆巻防止部に引き出したフィルムが貼着され、その先端を収納ケース外部に露出させた状態で仮止めすることができるので、収納ケース内に収納したフィルムロールに引き出したフィルムが巻き込まれてしまう、所謂フィルムの逆巻防止を行うことが可能となる。従って、次回フィルムを使用する際、蓋部材を開け逆巻防止部に貼着したフィルムを持てば、フィルムロールが収納された収納ケース内から容易にフィルムを引き出すことができるので、逆巻防止部を備えたロールホルダの利便性を大幅に向上させることができるようになるものである。
【図面の簡単な説明】
【００２６】
【図１】本発明の一実施例を示すロールホルダ（蓋部材を少許開放した状態）の斜視図である。
【図２】本発明の一実施例を示すロールホルダの正面図である。
【図３】本発明の一実施例を示すロールホルダの後面斜視図である。
【図４】本発明の一実施例を示すロールホルダ（蓋部材を全開放した状態）の斜視図である。
【図５】本発明の一実施例を示すロールホルダ（蓋部材無し）の斜視図である。
【図６】本発明の一実施例を示すロールホルダ（蓋部材を少許開放した状態）の一部拡大斜視図である。
【図７】本発明の一実施例を示すロールホルダの縦断斜視図である。
【図８】本発明の一実施例を示すロールホルダの縦断正面図である。
【図９】本発明の一実施例を示すロールホルダの縦断側面図である。
【図１０】同図９のロールホルダ（蓋部材を少許開放した状態）の縦断側面図である。
【図１１】同図９のロールホルダ（蓋部材を全開放した状態）の縦断側面図である。
【図１２】本発明の一実施例を示すロールホルダの収納ケース内に最も長尺のフィルムロールを収納した状態（蓋部材を少許開放した状態）の縦断側面図である。
【図１３】同図１２のロールホルダの収納ケース内に最も長尺のフィルムロールを収納した状態（蓋部材を閉じた状態）の縦断側面図である。
【図１４】本発明の一実施例を示すロールホルダの収納ケース内に最も長尺のフィルムロールよりも短いフィルムロールを収納し、フィルムを引き出した状態（蓋部材を閉じた状態）の縦断側面図である。
【図１５】本発明の一実施例を示すロールホルダの収納ケース内に最も長尺のフィルムロールを収納した状態（蓋部材を少許開放した状態）の一部拡大斜視図である。
【図１６】本発明の一実施例の収納ケース内を示すロールホルダの斜視図である。
【図１７】本発明の一実施例を示すロールホルダの収納ケース内に最も長尺のフィルムロールよりも短いフィルムロールを収納した状態（蓋部材を少許開放した状態）の斜視図である。
【図１８】本発明の一実施例を示すロールホルダの収納ケース内に最も長尺のフィルムロールよりも短いフィルムロールを収納した状態（蓋部材を全開放した状態）の平面図である。
【図１９】本発明の一実施例を示すロールホルダの収納ケース内に最も長尺のフィルムロールよりも短いフィルムロールを収納した状態（蓋部材を閉じた状態）の縦断側面図である。
【図２０】本発明の一実施例の収納ケース内に最も長尺のフィルムロールよりも短いフィルムロールを収納した状態（蓋部材を全開放した状態）のロールホルダの正面図である（収納ケースのみ縦断正面）。
【図２１】本発明の一実施例を示すロールホルダの収納ケース内に最も長尺のフィルムロールよりも短いフィルムロールを収納した状態（蓋部材を開放しリブを透視た状態）の平面図である。
【図２２】本発明の一実施例を示すロールホルダの収納ケース内に最も長尺のフィルムロールを収納した状態（蓋部材を少許開放した状態）の斜視図である。
【図２３】本発明の一実施例を示すロールホルダの収納ケース内に最も長尺のフィルムロールを収納した状態（蓋部材を全開放した状態）の平面図（収納ケースのみ縦断正面）。
【図２４】本発明の一実施例を示すロールホルダの収納ケース内に最も長尺のフィルムロールを収納した状態（蓋部材を少許開放した状態）の平面図である。
【図２５】同図２４のロールホルダの収納ケース内に最も長尺のフィルムロールを収納した状態（リブの透視、蓋部材を少許開放した状態）の平面図である。
【発明を実施するための最良の形態】
【００２７】
本発明は、フィルムが巻回されたフィルムロールの異なる軸心長さであっても、一つの収納ケースで使用できることを最も主要な特徴とする。フィルムロールの異なる軸心長さであっても、一つの収納ケースで使用できるという目的を、収納ケース内に収納可能な最も軸心長が長尺のフィルムロールよりも短いフィルムロールの長手方向への移動を規制する規制部を設けただけの簡単な構造で実現した。
【実施例１】
【００２８】
次に、図面に基づき本発明の実施の形態を詳述する。図１は本発明の一実施例を示すロールホルダ１０（蓋部材２０を少許開放した状態）の斜視図、図２は本発明の一実施例を示すロールホルダ１０の正面図、図３は本発明の一実施例を示すロールホルダ１０の後面斜視図、図４は本発明の一実施例を示すロールホルダ１０（蓋部材２０を全開放した状態）の斜視図をそれぞれ示している。
【００２９】
本実施形態におけるロールホルダ１０は、ビニール薄膜やアルミ薄膜などのフィルムが円筒状に形成された厚紙の巻芯に巻回されたものを収納して使用するものである。該ロールホルダ１０は、図１、図２、図３、図４に示すように、フィルム３２が円筒状に巻回されたフィルムロール３０を収納可能な細長い箱状の合成樹脂製にて構成されている。該ロールホルダ１０は、図４に示すように一面（上面）を開口し、この開口からフィルムロール３０を納出自在に収納する細長い有底（本発明のケース底部４０に相当）箱状に形成された収納ケース１２と、この収納ケース１２の開口を開閉自在に覆う蓋部材２０とから一体に形成されている。即ち、ロールホルダ１０は、収納ケース１２（収納ケース部）と蓋部材２０（蓋部）とが合成樹脂にて一体に形成されている。尚、合成樹脂を成形する技術は従来より周知の技術のため、詳細な説明を省略する。
【００３０】
該ロールホルダ１０には、図３、図４に示すように長手方向に延在する収納ケース１２の開口一縁にヒンジ１８が形成されており、このヒンジ１８により蓋部材２０の基端（この場合収納ケース１２側）が回動自在に枢支されている。即ち、ヒンジ１８は収納ケース１２の開口一縁の長手方向両側に、収納ケース１２及び蓋部材２０と一体に成形されている。該蓋部材２０は、基端と反対側の先端に、収納ケース１２内のフィルムロール３０から引き出されたフィルム３２（図１４のみ図示）が押し当てられることにより切断するための刃先が尖ったノコギリ形状の切断刃２４を備えている（図６に図示）。
【００３１】
この切断刃２４は、細幅金属板の一側縁若しくは両側縁にノコギリ刃を設けることにより形成され、フィルム３２の切れ味が悪化した際、交換可能に蓋部材２０に保持されてる。該収納ケース１２の後述するケース前壁部４８は、蓋部材２０に設けた切断刃２４側に形成されると共に、当該収納ケース１２のケース底部４０から切断刃２４側に立設している。そして、切断刃２４はケース前壁部４８上縁近傍に位置し、収納ケース１２内に収納されたフィルムロール３０から引き出されたフィルム３２を切断刃２４に当接させることにより、当該フィルム３２を容易に切断できるように構成されている。
【００３２】
該蓋部材２０は、収納ケース１２の開口を覆うように横長箱状に形成され、その横長に直交する幅方向後端部が、当該収納ケース１２の幅方向後一側端部に回動自在に枢支されている（図４）。即ち、収納ケース１２の後壁部上端と、蓋部材２０の後壁部下端にはそれぞれヒンジ１８を介して一体に形成され、これによって収納ケース１２と蓋部材２０とが回動自在に連結されている。
【００３３】
そして、ヒンジ１８を回転軸にして蓋部材２０を前方（ケース前壁部４８側）へ回動することにより、当該蓋部材２０にて収納ケース１２の開口を覆って閉止し、逆に後方（ケース後壁部４４側）へ回動することにより、当該収納ケース１２の上方を開放できるようになっている。即ち、蓋部材２０を操作して収納ケース１２の上方を開放することにより、当該収納ケース１２内へのフィルムロール３０の出し入れ、及び、剥がし端を引き出したりできるようになっている。
【００３４】
また、ヒンジ１８は、収納ケース１２の長手方向に延在する開口一縁の両側に形成されている。この場合、蓋部材２０の先端側には前記切断刃２４を、蓋部材２０の基端側にはヒンジ１８を備えている。該ヒンジ１８は収納ケース１２の開口一縁、蓋部材２０の基端側に形成されると共に、ヒンジ１８は開口一縁の両側（収納ケース１２の長手方向両側）に位置して形成されている。ヒンジ１８は、収納ケース１２より外側に僅か突出して形成し、これによって蓋部材２０の閉まりを良好に構成している。尚、図中２９は、蓋部材２０を開きを容易に行うための取っ手（図１、図２に図示）である。
【００３５】
また、蓋部材２０は、両ヒンジ１８間に位置して、当該蓋部材２０の基端（収納ケース１２側）が湾曲形状に形成されている。即ち、両ヒンジ１８間に位置して、蓋部材２０の基端には湾曲形状に形成された湾曲部２２が形成されている。この湾曲部２２は、収納ケース１２内にフィルムロール３０が収納された状態で、蓋部材２０の基端となる角部がフィルムロール３０の円周方向に湾曲して形成されている。該湾曲部２２に対向する収納ケース１２は、当該湾曲部２２の擦れを防止するため、収納ケース１２が切り欠かれて、湾曲部２２を逃がしている。
【００３６】
また、前記ヒンジ１８は、曲げ伸ばしが繰り返されるため耐久性を考慮すると構造上どうしても表面がギザギザになってしまうので手触りが悪化し、手で強く保持した場合、取り扱う人によっては手のひらが痛い場合がある。また、収納ケース１２内に収納されたフィルムロール３０からフィルム３２を引き出す際、手のひらはロールホルダ１０の長手方向略中央で蓋部材２０の基端に位置した状態で保持するが、収納ケース１２に角があると手で強く保持した場合、取り扱う人によっては手のひらが痛い場合がある。
【００３７】
そこで、収納ケース１２の長手方向両端にヒンジ１８を設け、そのヒンジ１８の間となるロールホルダ１０の略中央部に湾曲部２２を設けているので、収納ケース１２内に収納されたフィルムロール３０からフィルム３２を引き出す際、収納ケース１２を手で保持しても、収納ケース１２の角で手が痛い、或いは、ヒンジ１８に手が当たって手が痛いなどと云った不都合を確実に防止することができる。従って、収納ケース１２内に収納されたフィルムロール３０からフィルム３２を引き出す際、ロールホルダ１０を持った手が蓋部材２０の角に当たって痛いなどと云った不都合を防止できるようになっている。
【００３８】
また、蓋部材２０は、長手方向両端に蓋側壁部２６を備えている。そして、蓋部材２０を閉じたとき、蓋側壁部２６は後述する収納ケース１２のケース側壁部４２に密着して当接すると共に、蓋側壁部２６とケース側壁部４２の外面を平面にしてロールホルダ１０の外面美観を向上させている。また、蓋部材２０を閉じた状態で、蓋側壁部２６には連続してケース側壁部４２の内側をケース底部４０方向に延在する嵌合蓋部２８が形成されている。即ち、蓋部材２０が閉じられるとき、収納ケース１２のケース側壁部４２内側に嵌合蓋部２８が入り込んで嵌合し、更に蓋部材２０が閉じられると蓋側壁部２６がケース側壁部４２に当接するように構成されている。尚、前記切断刃２４は、両蓋側壁部２６間に渡って設けられている。
【００３９】
ここで、フィルムロール３０は、図示しないが厚紙により円筒状に形成された巻芯の外周部にフィルム３２が巻回されることにより構成されている。該フィルム３２は、ビニール薄膜やアルミ薄膜にて構成されている。また、フィルム３２は、例えば食品や食品が入った容器などの包装（ラップ）を行うもので、一般に市販されている食品用のラップであり、ポリエチレン、又はポリプロピレン、又はポリエチレンとポリプロピレンの複合素材により構成されている。
【００４０】
また、フィルムロール３０のフィルム３２の幅（この場合、フィルムロール３０の軸心の延在方向長さになる）は、現在市販され一般的に使用されているもので、最も長尺なもの（本発明の収納ケース１２内に収納可能な最も長尺のフィルムロール３０に相当）は幅約３００ｍｍ、それよりも短いもの（フィルム３２の幅）は幅約２５０ｍｍと２種類の長さのものが挙げられ、フィルムロール３０としてのアルミホイル（アルミフォイル）は、一般的な幅として２２０ｍｍの一種類が挙げられる。尚、従来の塩ビ製のフィルム（食品をラップするためのフィルムロール）は焼却した場合にダイオキシン等の有害物質を発生するが、このポリエチレン等で構成されたフィルム３２は燃焼させても有害物質を発生せずに環境汚染の防止をできるように構成している。また、フィルムロール３０の軸心の延在方向長さで、現在市販され一般的に使用されている最も長尺なものを、以降最も長尺のフィルムロール３０と称す。
【００４１】
また、収納ケース１２は、図５に示すように、収納したフィルム３２を引き出せるように、上面を開口した箱状に形成されている。該収納ケース１２の前側にケース前壁部４８、底面にケース底部４０、後側にケース後壁部４４を備えている。即ち、収納ケース１２は、円筒状に形成されたフィルムロール３０がケース前壁部４８と平行な状態で収納可能な細長い箱状に形成されている。詳しくは、収納ケース１２は、蓋部材２０を閉じたとき切断刃２４が位置する側にケース前壁部４８、蓋部材２０の反対側にケース底部４０、ケース前壁部４８の反対側に後側にケース後壁部４４が形成され、ケース前壁部４８とケース底部４０とケース後壁部４４の長手方向両側にケース側壁部４２が形成されている。
【００４２】
該ロールホルダ１０の使用時の取り扱いによって、収納ケース１２が傾いた場合、当該収納ケース１２に収納された最も長尺のフィルムロール３０のどちらか一方の端部が、ケース側壁部４２に当接してしまう。フィルムロール３０のどちらか一方の端部が収納ケース１２のケース側壁部４２に当接して隙間がないまま蓋部材２０が閉じられた場合、蓋部材２０の蓋側壁部２６を構成する嵌合蓋部２８がフィルムロール３０に当たって、蓋部材２０が閉じ難くなってしまう。
【００４３】
そこで、ロールホルダ１０は、図６、図７に示すように使用時の取り扱いによって収納ケース１２が傾いた場合でも、蓋側壁部２６がケース側壁部４２に当たらないように、収納ケース１２のケース側壁部４２にリブ状の位置決め部４６を設けている。該位置決め部４６は、図８、図９に示すように最も長尺のフィルムロール３０の両端部が、ケース側壁部４２に当たらないようにすると共に、フィルムロール３０の回転摩擦力を軽減するためのもので、収納ケース１２の長手方向の両端に位置するケース側壁部４２の内側に突出して形成されている。
【００４４】
該位置決め部４６は、図９、図１０、図１１に示すように蓋部材２０にて収納ケース１２の開口が閉じられたときに、ケース底部４０から蓋部材２０方向（高さ）に約１０ｍｍ延在し、一方のケース側壁部４２から他方のケース側壁部４２方向（幅）に約３ｍｍ延在し、厚さ（ケース側壁部４２とケース前壁部４８方向）約１ｍｍに形成されている。この形状の位置決め部４６が一方のケース側壁部４２に２カ所形成されると共に、ケース側壁部４２とケース前壁部４８方向に約１０ｍｍの間隔を存して形成されている。尚、両位置決め部４６は、他方のケース側壁部４２にも同様に形成されている。
【００４５】
また、位置決め部４６は、蓋部材２０にて収納ケース１２の開口が閉じられたときに、蓋側壁部２６と干渉しない位置に形成されている。詳しくは、位置決め部４６は、そのフィルムロール３０側が蓋部材２０にて収納ケース１２の開口が閉じられたときに、ケース側壁部４２から蓋部材２０方向に、蓋側壁部２６と干渉しない位置に形成されている（図８矢印）。また、位置決め部４６は、収納ケース１２内にフィルムロール３０が収納され、蓋部材２０にて収納ケース１２の開口が閉じられたときに、フィルムロール３０と両蓋側壁部２６が干渉しないように、ケース側壁部４２から突出して形成されている。
【００４６】
即ち、収納ケース１２内にフィルムロール３０が収納されたとき、フィルムロール３０がケース側壁部４２に当接しないように、また、蓋側壁部２６にフィルムロール３０が干渉して当たらないように位置決め部４６が設けられている。これによって、フィルムロール３０がケース側壁部４２に当接しないように位置決めされると共に、フィルムロール３０は、当該フィルムロール３０の長手方向端面全体がケース側壁部４２に接触する場合に対して位置決め部４６だけに当接する。従って、蓋側壁部２６にフィルムロール３０が干渉して当たらないように位置決めされ、更に、収納ケース１２からフィルム３２を引き出す際フィルムロール３０の回転抵抗を大幅に軽減させることができる。
【００４７】
また、収納ケース１２のケース前壁部４８には、図１２に示すように逆巻防止部５０が一体に形成されている。逆巻防止部５０は、図１３に示すように収納ケース１２の開口が蓋部材２０にて閉じられたとき、ケース前壁部４８に連続して蓋部材２０方向に延在し、当該蓋部材２０と干渉しない高さに形成されると共に、蓋部材２０に設けた切断刃２４は、逆巻防止部５０の外部側に位置するように設けられている。この逆巻防止部５０は、ケース前壁部４８より約１２ｍｍ上方（ケース底部４０と反対方向）に延在している。
【００４８】
そして、図１４に示すように収納ケース１２内にフィルムロール３０が収納されて、フィルムロール３０からフィルム３２が引き出されて、蓋部材２０にて収納ケース１２の開口が閉じられる。このとき、図１５に示すように収納ケース１２内に収納されたフィルムロール３０に巻回されたフィルム３２は、逆巻防止部５０と切断刃２４との間を通って外部に引き出される。この逆巻防止部５０のフィルム３２側の面が、当該フィルム３２が吸着可能な鏡面に形成されている。
【００４９】
ここで、フィルム３２（食品用のラップ）は、フィルムロール３０から引き出すときに巻回されてくっついていたラップ同士が引き離されることによって静電気が生じ、この静電気によりラップがお皿などの陶磁器に吸着することにより、食品のラップが行えるようになっている。また、柔軟剤や安定剤が使用されているフィルム３２（食品用のラップ）もあり、お皿などの陶磁器に更に強力に吸着吸着させられるようなものも出ている。逆巻防止部５０は、この静電気や柔軟剤や安定剤によってフィルム３２を容易に吸着させられるようになっている。係るフィルムロール３０から必要な長さだけフィルム３２が引き出されて蓋部材２０が閉じられ、切断刃２４部分がケース前壁部４８側に押圧されると、これによって、逆巻防止部５０にフィルム３２が吸着することとなる。
【００５０】
前記収納ケース１２に収納されたフィルムロール３０からフィルム３２を引き出す場合は、フィルムロール３０が収納ケース１２内で回転することになる。そこで、フィルムロール３０が収納ケース１２内で円滑に回転しないと、フィルム３２の引き出しが阻害されて、当該フィルム３２が破けてしまう。この場合、フィルム３２が破けてしまうと剥がし端を探すのに大変苦労してしまう。そこでフィルムロール３０を円滑に回転させるため、１５に示すように、収納ケース１２の底面となるケース底部４０に、当該収納ケース１２の長さ方向（フィルムロール３０の軸心延在方向）に、所定の間隔で複数箇所のリブ１４が形成（実施例では、１３カ所形成）されている。
【００５１】
該リブ１４は、円筒状のフィルムロール３０を収納ケース１２内で円滑に回転できるように、当該フィルムロール３０の外周に沿った曲面にて構成され、そのフィルムロール３０側にフィルム摺接面１６（図６、図９、図１０、図１１、図１２に図示）を有している。また、リブ１４の幅寸法（収納ケース１２の長手方向寸法）は約１．５ｍｍに形成されると共に、図示しないがリブ１４のフィルム摺接面１６は、かまぼこ状に湾曲した形状に形成（リブ１４の長手方向横断面）されている。この状態で、各リブ１４は、フィルムロール３０周囲に線接触に構成されている。これにより、各リブ１４とフィルムロール３０との接触抵抗を軽減することができ、収納ケース１２内でより円滑にフィルムロール３０を回転させることができる。
【００５２】
前記収納ケース１２内には、図１６に示すように最も長尺のフィルムロール３０周囲が当接する複数の高リブ１４Ｈと、最も長尺のフィルムロール３０よりも短いフィルムロール３０周囲が当接する複数の低リブ１４Ｌとが設けられている。これらの高リブ１４Ｈは、最も長尺のフィルムロール３０よりも短いフィルムロール３０が軸心の延在方向への移動を規制（阻止）できるように構成されている。
【００５３】
該各高リブ１４Ｈは、各低リブ１４Ｌよりも収納ケース１２の底面側から高く形成されており、逆に各低リブ１４Ｌは、各高リブ１４Ｈよりも収納ケース１２の底面側に低く形成（図９に図示）されている。これらの各高リブ１４Ｈは、各低リブ１４Ｌの両側にそれぞれ２カ所ずつ設けられている。そして、各低リブ１４Ｌに近接する側の高リブ１４Ｈ（本発明の規制部に相当）にて、最も長尺のフィルムロール３０よりも短いフィルムロール３０が長手方向にガタ付いて移動してしまうのを阻止できるように構成している。
【００５４】
詳しくは、最も長尺のフィルムロール３０周囲が当接する複数の高リブ１４Ｈの高さよりも、短いフィルムロール３０周囲が当接する複数の低リブ１４Ｌの高さを収納ケース１２の底面より低く蓋部材２０方向に立設し、高リブ１４Ｈと低リブ１４Ｌとに段差を設けている。この場合、最も長尺のフィルムロール３０の周囲は、収納ケース１２の底面よりの高さを高く立設している各高リブ１４Ｈに支持（図１２、図１３）され、それよりも短いフィルムロール３０の周囲は収納ケース１２の底面より高さを低く立設している各低リブ１４Ｌに支持（図１４）される。
【００５５】
この状態で、最も長尺のフィルムロール３０よりも短いフィルムロール３０は、長手方向両側に位置する高さを低くしていない高リブ１４Ｈ（規制部）と僅かな隙間（この場合、約０．５ｍｍ〜１．０ｍｍ）が設けられ、これによって短いフィルムロール３０は確実に長手方向への移動が規制されるように構成されている。
【００５６】
即ち、最も長尺のフィルムロール３０より短いフィルムロール３０は、図１７、図１８に示すように規制部（高リブ１４Ｈ）に対して収納ケース１２の底面側に陥没した状態（図１９に図示）で周囲が各低リブ１４Ｌに当接し、当該短いフィルムロール３０が長手方向に移動する際、両端はそれぞれ高リブ１４Ｈ（規制部）に当接する。
【００５７】
この状態で、最も長尺のフィルムロール３０より短いフィルムロール３０は、規制部（高リブ１４Ｈ）によって長手方向への移動が確実に阻止される。これによって、最も長尺のフィルムロール３０よりも短いフィルムロール３０は、図２０、図２１に示すように長手方向への移動が規制（位置決め）されるので、短いフィルムロール３０は、収納ケース１２内で長手方向へ偏らず、ガタも殆どないので円滑に引き出すことができる。
【００５８】
また、最も長尺のフィルムロール３０は、周囲が低リブ１４Ｌには当接せずに、高リブ１４Ｈに当接する。また、図２２、図２３に示すように、最も長尺のフィルムロール３０は、両端が収納ケース１２内の長手方向両端に設けた位置決め部４６に当接して長手方向へのガタがないので、低リブ１４Ｌ側には陥没せずに円滑に引き出すことができる。即ち、最も長尺のフィルムロール３０は、図２４、図２５に示すように、長手方向両端は位置決め部４６にて位置決めされて長手方向のガタがないので、フィルム３２を円滑に引き出すことができる。尚、最も長尺のフィルムロール３０よりも短い幅２５０ｍｍとアルミホイルの幅２２０ｍｍの２種類のものは、両規制部（高リブ１４Ｈ）間においてガタ付きが小さいので兼用可能に使用できる。
【００５９】
即ち、収納ケース１２内に設けた複数のリブ１４の両側に位置して規制部（高リブ１４Ｈ）、その内側に低リブ１４Ｌを設けることにより、単一の収納ケース１２で、最も長尺のフィルムロール３０と、それよりも短いフィルムロール３０及びアルミホイルの両方を使用することができる。尚、最も長尺のフィルムロール３０が収納ケース１２内に収納されたとき、当該最も長尺のフィルムロール３０は、両側の規制部（高リブ１４Ｈ）上に載置され、両規制部の間に形成された低リブ１４Ｌに対して浮いている状態である（図２３矢印範囲）。
【００６０】
次に、本実施例に係るロールホルダ１０の使用例を説明する。ヒンジ１８を支点に蓋部材２０を後方へ回転させて収納ケース１２の上方を開放し、空の収納ケース１２の内部に円筒状のフィルムロール３０を収納する。切断刃２４に逆らわずフィルム３２を引き出せるように、フィルムロール３０を収納ケース１２内に収納する。
【００６１】
次に、収納ケース１２内のフィルムロール３０からフィルム３２が必要な長さだけ引き出されて蓋部材２０が閉じられる。このとき、収納ケース１２内に位置決め部４６を設けているので、蓋側壁部２６がフィルムロール３０の端部に当たることなく容易に蓋部材２０を閉じることができる。そして、切断刃２４部分をケース前壁部４８側に押圧し、フィルム３２を逆巻防止部５０に吸着させる。
【００６２】
次に、ロールホルダ１０をしっかり手で保持して、そのフィルム３２の切断しようとする箇所を切断刃２４に押圧してフィルム３２を切断する。このとき、ヒンジ１８間に位置して、蓋部材２０の基端には湾曲部２２が形成されているので、ロールホルダ１０を確実に保持しても手が痛くなることがない。これにより、フィルム３２の切断しようとする箇所を切断刃２４に押しつけてフィルム３２を確実に切断することができる。
【００６３】
このように、フィルムロール３０が収納されるロールホルダ１０は、一面を開口し、この開口からフィルムロール３０を納出自在に収納する細長い箱状の収納ケース１２と、この収納ケース１２の長手方向に延在する開口一縁に形成されたヒンジ１８により基端が回動自在に枢支され、収納ケース１２の開口を開閉自在に覆うと共に、この収納ケース１２内のフィルムロール３０から引き出されたフィルム３２を切断するための切断刃２４を先端に有した蓋部材２０とをロールホルダ１０に備えている。
【００６４】
また、収納ケース１２内に構成され、収納ケース１２内に収納可能な最も長尺のフィルムロール３０よりも短いフィルムロール３０の長手方向への移動を規制する規制部（高リブ１４Ｈ）とを備えているので、最も長尺のフィルムロール３０を収納ケースの両ケース側壁部４２（長手方向一端と他端間）で規制することができ、それよりも短いフィルムロール３０を収納ケース１２両側の高リブ１４Ｈ（規制部）にて長さ方向のガタ規制することができる。これにより、最も長尺のフィルムロール３０と、それよりも短いフィルムロール３０を一つの収納ケース１２内に、各フィルムロール３０を長手方向へ殆どガタなく収納することが可能となる。従って、長さの異なるフィルムロール３０をそれぞれ一つの収納ケース１２にて使用することができる。
【００６５】
また、収納ケース１２内の底部（ケース底部４０）に構成された複数のリブ１４を備え、このリブ１４は、短いフィルムロール３０を保持するための高さが低い低リブ１４Ｌと、この低リブ１４Ｌの両側に位置して低リブ１４Ｌより高い高リブ１４Ｈとから構成されており、この高リブ１４Ｈにて規制部を構成しているので、最も長尺のフィルムロール３０よりも短いフィルムロール３０周囲を低リブ１４Ｌに当接させた状態で、当該短いフィルムロール３０の長手方向両側を規制部（高リブ１４Ｈ）にて規制して長手方向のガタをなくすことができる。
【００６６】
また、最も長尺のフィルムロール３０周囲を高リブ１４Ｈのフィルム摺接面１６に当接させた状態で、当該長いフィルムロール３０の長手方向両側をロールホルダ１０の長手方向一側と他側で規制した状態で、長手方向のガタをなくすことができる。これにより、最も長尺のフィルムロール３０周囲は高リブ１４Ｈのフィルム摺接面１６によって支持され、それよりも短いフィルムロール３０周囲は低リブ１４Ｌのフィルム摺接面１６によって支持されるので、ロールホルダ１０内から長尺のフィルムロール３０とそれよりも短いフィルムロール３０を引き出す際の摩擦力を、高リブ１４Ｈのフィルム摺接面１６及びそれよりも短いフィルムロール３０周囲を低リブ１４Ｌのフィルム摺接面１６にて大幅に軽減させることができ、フィルム３２の引き出しが重くて当該フィルム３２が切れてしまうなどと云った不都合を確実に防止することができる。
【００６７】
また、最も長尺のフィルムロール３０と、それよりも短いフィルムロール３０を一つの収納ケース１２内に入れたとき、各フィルムロール３０を長手方向へのガタが殆どない状態とすることが可能となる。これにより、長さの異なるフィルムロール３０の使い勝手を大幅に向上させることができる。
【００６８】
また、収納ケース１２、蓋部材２０及びヒンジ１８は合成樹脂にて構成されており、ヒンジ１８は収納ケース１２の開口一縁の両側において、収納ケース１２及び蓋部材２０と一体に成形されているので、収納ケース１２と蓋部材２０とヒンジ１８とを備えたロールホルダ１０を一回で成形することが可能となる。これにより、ロールホルダ１０の製造時間を大幅に短縮することができ、当該ロールホルダ１０のコストが高騰してしまう不都合を未然に防止することができるようになる。
【００６９】
また、ヒンジ１８間に位置する蓋部材２０の基端は湾曲形状を呈しているので、フィルム３２使用時にロールホルダ１０の長手方向中央部を手で保持すればヒンジ１８に触れることなくロールホルダ１０を手で保持することができる。これにより、収納ケース１２を手で保持した際、ヒンジ１８の突部が手に当たることがないので、当該ヒンジ１８の突部で手が痛いなどといった不都合を未然に防止することが可能となる。
【００７０】
また、一面が開口し、この開口からフィルムロール３０を納出自在に収納する細長い箱状の収納ケース１２と、この収納ケース１２の長手方向に延在する開口一縁の両側に形成されたヒンジ１８により基端が回動自在に枢支され、収納ケース１２の開口を開閉自在に覆うと共に、この収納ケース１２内のフィルムロール３０から引き出されたフィルム３２を切断するための切断刃２４を先端に有した蓋部材２０とをロールホルダ１０に備えている。
【００７１】
また、ヒンジ１８は収納ケース１２及び蓋部材２０と一体に成形されており、ヒンジ１８間に位置する蓋部材２０の基端は湾曲形状を呈しているので、フィルム３２使用時に収納ケース１２の長手方向中央部となるヒンジ１８間を手で保持することができる。これにより、収納ケース１２を手で保持した際、ヒンジ１８の突部が手に当たることがないので、当該ヒンジ１８の突部で手が痛いなどといった不都合を未然に防止することが可能となる。また、ヒンジ１８と収納ケース１２と蓋部材２０とが一体のロールホルダ１０は、一回で成形することが可能となる。これにより、ロールホルダ１０の製造時間を大幅に短縮することができ、当該ロールホルダ１０のコストが高騰してしまうなどと云った不都合を未然に防止することができる。
【００７２】
特に、最も長尺のフィルムロール３０は、収納ケース１２の両ケース側壁部４２にて規制することができ、それよりも短いフィルムロール３０は規制部にて規制することができる。これにより、最も長尺のフィルムロール３０と、それよりも短いフィルムロール３０を一つの収納ケース１２内に、各フィルムロール３０を長手方向へ殆どガタなく収納することが可能となる。また、長さの異なるフィルムロール３０をそれぞれ一つの収納ケース１２にて使用することができ、ロールホルダ１０の汎用性を大幅に向上させられる。
【００７３】
また、蓋部材２０の長手方向両端に位置し、この蓋部材２０にて収納ケース１２の開口を閉じたときに当該収納ケース１２内に収まる蓋側壁部２６と、収納ケース１２の長手方向の両端に位置するケース側壁部４２の内側に形成され、フィルムロール３０の長手方向への移動を制限する位置決め部４６とを備えている。そして、位置決め部４６は、蓋部材２０にて収納ケース１２の開口を閉じたときに、蓋側壁部２６と干渉しない位置に形成されているので、フィルムロール３０が収納ケース１２の長手方向の両端に位置するケース側壁部４２に当接することにより、蓋側壁部２６がフィルムロール３０に当接して蓋部材２０が閉じられないなどといった不都合を防止することができる。
【００７４】
これにより、フィルムロール３０を収納ケース１２内に収納するだけで、蓋側壁部２６の嵌合蓋部２８がフィルムロール３０の端部に当たることなく、蓋部材２０を閉じることが可能となる。また、収納ケース１２の長手方向の両端に位置するケース側壁部４２の内側に形成された位置決め部４６によって、収納ケース１２内へのフィルムロール３０の収納操作や、蓋部材２０を閉じる操作が極めて容易となり、ロールホルダ１０の使い勝手を大幅に向上させることができる。また、位置決め部４６をフィルムロール３０の長手方向端面の一部に接触するように形成することにより、当該フィルムロール３０を引き出す際の摩擦力を大幅に軽減させることができると共に、フィルム３２の引き出しが重くて当該フィルム３２が切れてしまうなどと云った不都合を確実に防止することができるようになる。
【００７５】
また、収納ケース１２は、ヒンジ１８が形成された開口一縁を構成するケース後壁部４４と、該ケース後壁部４４に対向して開口他縁を構成するケース前壁部４８と、長手方向の両端に位置してケース後壁部４４とケース前壁部４８とを結ぶケース側壁部４２とを備えており、ケース前壁部４８は、ケース後壁部４４よりも高さが低く構成されている。そして、蓋部材２０にて収納ケース１２の開口を閉じた状態で、切断刃２４の内側において当該切断刃２４先端よりも高い位置まで起立する逆巻防止部５０を有している。
【００７６】
そして、この逆巻防止部５０の外面は、フィルム３２が吸着可能な鏡面とされているので、蓋部材２０を開けて収納ケース１２内からフィルムロール３０を引き出し、当該蓋部材２０を閉じて切断する際、当該フィルム３２を逆巻防止部５０に貼着させることができる。これにより、逆巻防止部５０に引き出したフィルム３２が貼着され、その先端を収納ケース１２外部に露出させた状態で仮止めすることができるので、収納ケース１２内に収納したフィルムロール３０に引き出したフィルム３２が巻き込まれてしまう、所謂フィルム３２の逆巻防止を行うことが可能となる。そして、次回フィルム３２を使用する際、蓋部材２０を開け逆巻防止部５０に貼着したフィルム３２を手で持てば、フィルムロール３０が収納された収納ケース１２内から容易にフィルム３２を引き出すことができるので、逆巻防止部５０を備えたロールホルダの利便性を大幅に向上させることができる。
【００７７】
尚、実施形態ではロールホルダ１０にフィルムロール３０を収納することで説明したが、ロールホルダ１０は、当該ロールホルダ１０のみで市販するようにしても差し支えない。この場合、ロールホルダ１０のみの市販は、単体で市販されているフィルムロール、又は、収納箱入りのフィルムロールを取り出してロールホルダ１０（収納ケース１２）内に収納して使用するなどの方法がある。勿論、ロールホルダ１０（収納ケース１２）内にフィルムロール３０を収納したものを市販するようにしても差し支えない。
【００７８】
また、収納ケース１２の長手方向両側にリブ状の位置決め部４６を設けたが、位置決め部４６はリブ状に限られず、ケース側壁部４２や、ケース底部４０にピン形状の位置決め部４６を形成しても差し支えない。これらピン形状の位置決め部４６もリブ状の位置決め部４６同様の効果を得ることができる。
【００７９】
また、実施形態でロールホルダ１０の形状や寸法或いは材質などを記載したが、ロールホルダ１０の要旨を逸脱しない範囲内で収納ケース１２及び蓋部材２０やヒンジ１８或いは湾曲部２２などの形状や寸法或いは材質などを変更しても良いのは云うまでもない。勿論本発明は、上記各実施例のみに限定されるものではなく、この発明の趣旨を逸脱しない範囲で他の様々な変更を行っても本発明は有効である。
【符号の説明】
【００８０】
１０  ロールホルダ
１２  収納ケース
１４  リブ
１４Ｈ  高リブ
１４Ｌ  低リブ
１６  フィルム摺接面
１８  ヒンジ
２０  蓋部材
２２  湾曲部
２４  切断刃
２６  蓋側壁部
３０  フィルムロール
３２  フィルム
４０  ケース底部
４２  ケース側壁部
４４  ケース後壁部
４６  位置決め部
４８  ケース前壁部
５０  逆巻防止部
【図１】
2013220831.tif 000003
【図２】
2013220831.tif 000004
【図３】
2013220831.tif 000005
【図４】
2013220831.tif 000006
【図５】
2013220831.tif 000007
【図６】
2013220831.tif 000008
【図７】
2013220831.tif 000009
【図８】
2013220831.tif 000010
【図９】
2013220831.tif 000011
【図１０】
2013220831.tif 000012
【図１１】
2013220831.tif 000013
【図１２】
2013220831.tif 000014
【図１３】
2013220831.tif 000015
【図１４】
2013220831.tif 000016
【図１５】
2013220831.tif 000017
【図１６】
2013220831.tif 000018
【図１７】
2013220831.tif 000019
【図１８】
2013220831.tif 000020
【図１９】
2013220831.tif 000021
【図２０】
2013220831.tif 000022
【図２１】
2013220831.tif 000023
【図２２】
2013220831.tif 000024
【図２３】
2013220831.tif 000025
【図２４】
2013220831.tif 000026
【図２５】
2013220831.tif 000027